(57)【特許請求の範囲】
【請求項１】
室の下部に形成された二重床の内部から室内に冷温風を給気する床吹出し空調方式において、
前記二重床を構成する床部材に敷設された通気性のカーペットと、
前記床部材の所定箇所に形成された取付用開口と、
該取付用開口に対向する箇所に前記カーペットに形成された切れ目と、
前記取付用開口に着脱自在に装着される吹出し口と
を備え、さらに、
前記吹出し口は、前記取付用開口に装着される基板と、該基板に形成された複数の固定スリットと、この固定スリットの上面に摺動自在に配設され、複数の可動スリットとが形成された可動蓋と、前記可動蓋を移動させたとき、所定時間が経過すると前記可動蓋を元の状態に戻す遅延装置とを備え、前記可動蓋を移動させることにより風量および風向が調整可能にされたことを特徴とする床吹出し空調システム。
【請求項２】
前記基板に固定された支持プレートと、該支持プレートに回動自在に装着された回動プレートと、支持プレートに二つ折りに配設された粘着性部材とを備え、前記回動プレートを前記可動蓋に固定したことを特徴とする請求項１記載の床吹出し空調システム。
【請求項３】
前記可動蓋に固定された吸盤と、基板の支持片に装着され前記吸盤に吸着される吸盤被接着プレートと、前記吸盤をスプリングを介して対向する支持片に装着したことを特徴とする請求項１記載の床吹出し空調システム。
【請求項４】
前記床部材の全面に多数の吹出し孔が形成されていることを特徴とする請求項１乃至３のいずれかに記載の床吹出し空調システム。
【発明の詳細な説明】
【０００１】
【発明の属する技術分野】
本発明は、二重床と床スラブ間を空調ダクトとして利用して空調空気を供給する床吹出し空調において、在室者の周辺環境に対する要求を満足させる吹出し口を用いた床吹出し空調システムに関する。
【０００２】
【従来の技術】
従来、建物の二重床内にＯＡ機器用の配線を収納する所謂ＯＡフロアを利用し、孔あきＯＡフロアと通気性カーペットを用いて二重床の全面から空調空気を室内に滲み出させ快適な空調を行う全面床吹出空調システムが知られている（例えば、特開平７−２１７９３９号公報）。この方式は、吹出し冷気が在室者に直接あたるようなことが無く、非常にマイルドな空調を可能としている。
【０００３】
【特許文献１】
特開平７−２１７９３９号公報
【特許文献２】
特開平８−１５２１５８号公報
【０００４】
しかしながら、この方式においては、気流感が無いために個人的に冷暖房を強く欲する場合には対応が難しいという問題や、部屋全体を若干弱めの空調をしておき在室者だけパーソナルな空調を行って部分的に快適な空間を提供し、省エネルギーを図るということも困難であった。
【０００５】
【発明が解決しようとする課題】
そこで、個人的に気流を欲する場合の対応として、特開平８−１５２１５８号公報においては、最適な空調環境を実現するために、全面床吹出し方式と吹出し口を併用する方式が提案されているが、これに利用できる市販の吹出し口が無かった。また、従来の一般的な（全面床吹出しではなく）床吹出し空調システムにおいては、それに対応した床吹出し口が市販されているが、以下のような欠点があった。
【０００６】
(1)室内の空調環境を均一とするために如何に広い範囲を撹拌するかを目的としており、個人差のある空調要求を満足させることは困難であり、
(2)在室者個人が容易に風量、吹出し方向を調整できない、
(3)二重床材に固定して設置されるため、個人の要求や机など什器レイアウト変更に伴う吹出し口の移設が容易ではなく、また二重床材に吹出し口専用の開口が無い箇所には設置できないという制限があり、その対応には床材を開口のあるものに交換するなど自由度に欠けていた。
【０００７】
本発明は、上記従来の問題を解決するものであって、在室者個人の要求に応じた風量、風向調整を簡単に行うことが可能で、任意の設置、取り外しが容易に可能となる床吹出し口を提供し、従来の床吹出し空調システムにおける空間全体を均一に空調する方式に対し、個人の多様な空調要求を部分的に満足させることにより、その環境の快適性向上と省エネルギー化を図ることができる床吹出空調システムを提供することを目的とする。
【０００８】
【課題を解決するための手段】
そのために本発明は、室の下部に形成された二重床の内部から室内に冷温風を給気する床吹出し空調方式において、前記二重床を構成する床部材に敷設された通気性のカーペットと、前記床部材の所定箇所に形成された取付用開口と、該取付用開口に対向する箇所に前記カーペットに形成された切れ目と、前記取付用開口に着脱自在に装着される吹出し口とを備え、さらに、前記吹出し口は、前記取付用開口に装着される基板と、該基板に形成された複数の固定スリットと、この固定スリットの上面に摺動自在に配設され、複数の可動スリットとが形成された可動蓋と、前記可動蓋を移動させたとき、所定時間が経過すると前記可動蓋を元の状態に戻す遅延装置とを備え、前記可動蓋を移動させることにより風量および風向が調整可能にされたことを特徴とし、また、前記基板に固定された支持プレートと、該支持プレートに回動自在に装着された回動プレートと、支持プレートに二つ折りに配設された粘着性部材とを備え、前記回動プレートを前記可動蓋に固定したことを特徴とし、前記可動蓋に固定された吸盤と、基板の支持片に装着され前記吸盤に吸着される吸盤被接着プレートと、前記吸盤をスプリングを介して対向する支持片に装着したことを特徴とし、前記床部材の全面に多数の吹出し孔が形成されていることを特徴とする。
【０００９】
【発明の実施の形態】
以下、本発明の実施の形態を図面に基づいて説明する。図１は、本発明の床吹出し空調システムの１実施形態を示す構成図である。なお、本実施形態は、全面床吹出し方式に適用したものであるが、これに限定されるものではなく、二重床の内部から室内に給気する床吹出し方式にも適用可能である。
【００１０】
図１において、室１は上下のスラブ３、４の間に形成されている。室１の下部には二重床５が形成され、スラブ４と二重床５の間には給気通路６が形成されている。二重床５を構成する床部材５ｂ（図２）には、全面に多数の吹出し孔５ａが形成されている。なお、二重床５上には通気性のカーペット１７（図３参照）が敷設されている。室１の上部には、複数の排気口７ａを有する天井部材７が配設され、天井部材７の上部に排気通路８が形成されている。
【００１１】
機械室１１内には、フィルタ１２、熱交換器１３および送風機１４を有する空調機１５が設置され、送風機１４の給気側は給気通路６に接続され、吸気側は排気通路８に接続されている。
【００１２】
上記構成からなる空調システムにおいては、空調機１５により空調された冷温風は、送風機１４から二重床５内の給気通路６内に送られた後、二重床５の吹出し孔５ａを通って点状に通過し、通気性のカーペット内で平面状に広がって、室内へは床全面からの均一な吹出しとなり、過大な気流感がなくなり、快適で空間的偏りのない空調が実現できる。
【００１３】
しかしながら、この方式においては、気流感が無いために個人的に冷暖房を強く欲する場合や、熱負荷が極端に偏在する場合には対応が難しいという問題を有している。そこで、本発明においては、二重床５の所定箇所に吹出し口１６を着脱自在に装着可能にしている。図１の例においては、在室者Ｍの机などの下、熱負荷が高い窓Ｗ側の箇所に吹出し口１６を配設している。以下、吹出し口１６部分の詳細構造について説明する。
【００１４】
図２は、図１の二重床５の一部を示す平面図である。二重床５は、複数の床部材５ｂからなり、床部材５ｂの両辺には切欠部５ｃが形成されている。そして、隣接する床部材５ｂの切欠部５ｃが合致するように床部材５ｂを配設したとき、そこに取付用開口５ｄが形成されることになる。なお、図２では図１で説明した吹出し孔５ａは省略している。
【００１５】
図３は、図１の吹出し口１６の１実施形態を示し、図（Ａ）は平面図、図（Ｂ）は図（Ａ）のＢ−Ｂ線に沿う断面図である。二重床５上には、カーペット１７が敷設されるが、カーペット１７には、取付用開口５ｄの周囲に対応する箇所に切れ目１７ａが形成されており、吹出し口１６の装着時には、カーペット１７の一部を取り外し、また吹出し口１６の脱着時には元に戻すようにしている。
【００１６】
吹出し口１６は、取付用開口５ｄより広い面積を有するプレート状の基板１６ａ（矩形の辺の長さは１０〜１５ｍｍ程度である）と、基板１６ａの下面に突出され、取付用開口５ｄに嵌合される支持片１６ｂと、基板１６ａに形成された複数の固定スリット１６ｃと、この固定スリット１６ｃの上面に摺動自在に配設された可動蓋１６ｇと、可動蓋１６ｇに形成された複数の可動スリット１６ｄとを有し、在室者が手足等により可動蓋１６ｇをスライドさせることにより、可動スリット１６ｄと固定スリット１６ｃの連通割合を変化させ、吹出し口１６からの風量を０〜１００％に容易に調整できるようになっている。
【００１７】
図（Ｂ）は、固定スリット１６ｃと可動スリット１６ｄが連通している状態を示し、この状態から手や足などで可動スリット１６ｄを矢印Ｘ方向にスライドさせると、吹出し口１６からの風量を１００〜０％に調整されることになる。なお、固定スリット１６ｃおよび可動スリット１６ｄに角度をもたせることにより空調空気の吹出し方向を変えるようにしてもよい。
【００１８】
図４は、図３の実施形態の変形例を示し、図（Ａ）は断面図、図（Ｂ）は遅延装置を説明するための図である。図（Ｂ）に示すように、本例に係る遅延装置１９は、支持プレート１９ａと、この支持プレート１９ａに蝶番１９ｂを支点として回動自在に装着された回動プレート１９ｃと、回動プレート１９ｃの両側に設けられ係止片１９ｄと、支持プレート１９ａに二つ折りに配設された粘着性部材１９ｅとから構成されている。
【００１９】
粘着性部材１９ｅは折った際にそれ自身が付着し、時間が経過すると剥がれて元に戻るという遅延動作を行うもので、粘着性のある特殊ポリマー（例えば、５０ｍｍ×４５ｍｍ×５ｍｍ厚）を用い、二つ折りにした粘着性部材１９ｅの折り部を下側にしてその片側を支持プレート１９ａに固定する。図（Ｃ）に示すように、回動プレート１９ｃの係止片１９ｄは、回動プレート１９ｃが粘着性部材１９ｅの復元力により開いたとき支持プレート１９ａに係止されるようになっている。
【００２０】
そして、図（Ａ）に示すように、基板１６ａ側には固定端２０を設け、可動蓋１６ｇには移動端２１を設け、支持プレート１９ａの上部を基板１６ａの固定端２０に固定し、回動プレート１９ｃの上部を可動蓋１６ｇの移動端２１に固定する。
【００２１】
空気が欲しいときは、足などで可動蓋１６ｇを矢印Ｘ方向に移動させ、固定スリット１６ｃと可動スリット１６ｄを連通させ、このとき遅延装置１９の二つ折りの粘着性部材１９ｅは移動端２１により押圧されて粘着されている。時間が経過すると粘着性部材１９ｅが剥がれて移動端２１を介して可動蓋１６ｇを矢印Ｙ方向に移動さえ、空気の流れを遮断するようにしている。従って、電気を使わず、安価、小型に遅延機構を提供することができる。
【００２２】
なお、蝶番１９ｂが無く、粘着性部材１９ｅの折りたたみ、開動に合わせてスライドするプレートや、開動に合わせて出入りするシリンダを用いて可動スリット１６ｄをずらし開閉させる機構を用いるようにしてもよい。
【００２３】
図５は、図３の実施形態の変形例を示し、図（Ａ）は平面図、図（Ｂ）は断面図である。なお、図（Ａ）において下半分は可動スリット１５ｄと固定スリット１６ｃが閉じた状態を示し、上半分は両者が連通した状態を示している。
【００２４】
本例に係る遅延装置２１は、可動蓋１６ｇに固定され図示矢印方向に移動可能な支持プレート２２を備え、支持プレート２２にはゴム系素材からなる吸盤２２ａが設けられている。前記支持プレート２２は、スプリング２３を介してストローク調整プレート２４に固定され、ストローク調整プレート２４は調整ネジ２５により支持片１６ｂに装着されている。この支持片１６ｂに対向する支持片１６ｂには、吸盤被接着プレート２６が調整ネジ２７に装着されている。なお、２９は吸盤保護カバーであり、調整しろが見えるように透明にされ、また吸盤２２ａのメンテナンスができるように取り外しが可能になっている。
【００２５】
空気が欲しいときは、足などで可動蓋１６ｇを矢印方向に移動させ、固定スリット１６ｃと可動スリット１６ｄを連通させ、このとき遅延装置２１の吸盤２２ａが吸盤被接着プレート２６に押圧されて吸着される。この状態は吸盤２２ａの吸着力とがスプリング２３の引っ張り力のバランスにより、一定時間、開状態が維持されるが、吸盤２２ａによる吸着力は徐々に弱まり復元力が吸着力を上回ると、スプリング２３により閉鎖状態に戻る。この吸着力と引っ張り力は、それぞれ調整ネジ２７と調整ネジ２５で調整可能になっている。
【００２６】
以上のように、遅延装置を設けることにより、吹出口の閉め忘れによる風量・温度ムラの発生を防止することができるとともに、効率の良い夜間躯体蓄熱が可能となる。また、電気を使わず、安価、小型に遅延機構を提供することができる。
【００２７】
図６は、図１の吹出し口１６の他の実施形態を示し、図（Ａ）は断面図、図（Ｂ）は平面図、図（Ｃ）は図（Ａ）のＣ−Ｃ線に沿う断面図、図（Ｄ）は図（Ｃ）のＤ−Ｄ線に沿う断面図である。なお、以下の説明においては、上記実施形態と同一の構成について同一番号を付けて説明を省略する。
【００２８】
本実施形態の吹出し口１６は、基板１６ａと、基板１６ａにヒンジにより回動可能に設けられた開閉蓋１６ｅと、開閉蓋１６ｅの一側に形成されたルーバー１６ｆとからなり、基板１６ａは、図３と同様に取付用開口５ｄに装着されている。
在室者が足等で開閉蓋１６ｅを踏むたびに、開閉蓋１６ｅが上下に段階的Ｐ１、Ｐ２と開閉し、吹出し風量を調整することができる。なお、Ｐ０は開閉蓋１６ｅが閉じた位置を示している。図（Ｄ）に示すように、ルーバー１６ｆはその角度を変えることできるようになっており、吹出し方向が調整可能にされている。
【００２９】
図７は、図１の吹出し口１６の他の実施形態を示し、図（Ａ）は断面図、図（Ｂ）は平面図、図（Ｃ）は図（Ａ）のＣ−Ｃ線に沿う断面図、図（Ｄ）は図（Ｃ）のＤ−Ｄ線に沿う断面図である。
【００３０】
本実施形態の吹出し口１６は、基板１６ａと、基板１６ａに水平方向に回動可能に設けられた筒状の開閉蓋１６ｅと、開閉蓋１６ｅの一側に形成されたルーバー１６ｆとからなり、基板１６ａは、図３と同様に取付用開口５ｄに装着されている。
【００３１】
在室者が足等で開閉蓋１６ｅを踏むたびに、開閉蓋１６ｅが上下に段階的Ｐ１、Ｐ２と開閉し、吹出し風量を調整することができる。なお、Ｐ０は開閉蓋１６ｅが閉じた位置を示している。図（Ｄ）に示すように、ルーバー１６ｆはその角度を変えることできるようになっており、吹出し方向が調整可能にされている。
【００３２】
なお、図６、図７の実施形態においても、図４および図５で説明した遅延装置を設けることが可能である。
【００３３】
図８は、本発明の実験結果を説明するための図である。空調環境の評価として、全面床吹出し空調（冷房）を行っている空間において、机の下部床面に吹出し口を設置し、空気温度を測定した。全体空調域（アンビエント域）での室温設定は床面から高さ１，１００ｍｍの箇所で２８℃とした。このときにおけるパーソナル床吹出し口が設置してある居住者付近（タスク域）の温度は、同じ高さ１，１００ｍｍの箇所で２６℃程度となっており、アンビエント域における室温に影響を与えず、タスク域を部分的に空調（冷房）することが可能であることが確認できた。
【００３４】
一般的に、冷房時においては、設定室内温度が高い方が空調エネルギーとして省エネルギーであり、アンビエント域を高めの温度に設定し、タスク域を個人の好みに合わせて調整する方が、全体の空調環境を均一にする空調方式に比べ省エネルギーの効果があり、また冷温感の個人差による不具合も解消することができる。また、気流感のない全面床吹出し空調方式において、気流感を要求する居住者に対してこの吹出し口からの適度な気流感による快適性を向上させることができる。
【００３５】
【発明の効果】
以上の説明から明らかなように、本発明によれば、在室者個人の要求に応じた風量、風向調整が簡単で、任意の設置、取り外しが容易に可能となる床吹出し口を提供し、従来の床吹出し空調システムにおける空間全体を均一に空調する方式に対し、個人の多様な空調要求を部分的に満足させることにより、その環境の快適性向上と省エネルギー化を図ることができる。
【００３６】
また、部屋全体を弱めに空調しておき、在室者だけパーソナルな空調を行って、部分的に快適な空調を提供し、全体としては省エネを図ることが可能となる。また、什器レイアウトの変更、リニューアル等による吹出し口の位置変更が容易であるため、フレキシビリティの高い空調を実現することができる。
【図面の簡単な説明】
【図１】本発明の床吹出し空調システムの１実施形態を示す構成図である。
【図２】図１の二重床５の一部を示す平面図である。
【図３】図１の吹出し口１６の１実施形態を説明するための図である。
【図４】図３の実施形態の変形例を説明するための図である。
【図５】図３の実施形態の変形例を説明するための図である。
【図６】図１の吹出し口１６の他の実施形態を説明するための図である。
【図７】図１の吹出し口１６の他の実施形態を説明するための図である。
【図８】本発明の実験結果を説明するための図である。
【符号の説明】
１…室、５…二重床、５ａ…吹出し孔、５ｂ…床部材、５ｄ…取付用開口、
１６…吹出し口、１６ａ…基板、１６ｂ…支持片、１６ｃ…固定スリット、
１６ｄ…可動スリット、１６ｅ…開閉蓋、１６ｆ…ルーバー、１６ｇ…可動蓋、
１７…カーペット、１７ａ…切れ目、１９、２１…遅延装置、
１９ａ…支持プレート、１９ｃ…回動プレート、１９ｅ…粘着性部材、
２２ａ…吸盤、２３…スプリング、２６…吸盤被接着プレート
【図１】
0003931980.tif 000002
【図２】
0003931980.tif 000003
【図３】
0003931980.tif 000004
【図４】
0003931980.tif 000005
【図５】
0003931980.tif 000006
【図６】
0003931980.tif 000007
【図７】
0003931980.tif 000008
【図８】
0003931980.tif 000009